(57)【特許請求の範囲】
【請求項１】
リモコンによる操作が可能な撮像装置であって、
撮像手段を有する本体部と、
前記本体部の側面に設けられたグリップ部と、
前記グリップ部に設けられるとともに、前記リモコンの送信部からの信号を受信する複数の受信面を有する受信部と、
前記グリップ部に設けられた前記リモコンを装着するための装着部と、を有し、
前記複数の受信面は、前記グリップ部の撮影者側の面に設けられた第一の受信面と、前記第一の受信面が設けられた面と異なる面に設けられていて、前記装着部に前記リモコンを装着した際に前記リモコンの送信部からの信号を受信する第二の受信面とからなることを特徴とする撮像装置。
【請求項２】
前記第二の受信面は、前記装着部が設けられた面と同一の面に設けられたことを特徴とする請求項１に記載の撮像装置。
【請求項３】
前記撮像装置を操作する操作部を有し、
前記操作部は、前記グリップ部の面のうち、前記装着部に前記リモコンを装着した際に前記リモコンと対向する面に設けられたことを特徴とする請求項１または２に記載の撮像装置。
【発明の詳細な説明】
【０００１】
【発明の属する技術分野】
本発明は、撮像装置に関するものであり、特に、リモコンを撮像装置本体に着脱可能な撮像装置に関するものである。
【０００２】
【従来の技術】
従来、撮像装置を支持するためのグリップの大きさは固定的で不変であり、使用状態においてその形状やサイズ等を変えることはできなかった。
【０００３】
【発明が解決しようとする課題】
しかしながら、撮像装置の使用者の各個人の手の大きさは千差万別であり、従来の一定の大きさのグリップでは、握り難い人や、握れない人があった。
【０００４】
本発明は、リモコンをグリップ部に着脱することでグリップ部の大きさを変更できる撮像装置を提供することを目的としている。
【０００５】
【課題を解決するための手段】
本発明の撮像装置は、リモコンによる操作が可能な撮像装置であって、撮像手段を有する本体部と、前記本体部の側面に設けられたグリップ部と、前記グリップ部に設けられるとともに、前記リモコンの送信部からの信号を受信する複数の受信面を有する受信部と、前記グリップ部に設けられた前記リモコンを装着するための装着部と、を有し、前記複数の受信面は、前記グリップ部の撮影者側の面に設けられた第一の受信面と、前記第一の受信面が設けられた面と異なる面に設けられていて、前記装着部に前記リモコンを装着した際に前記リモコンの送信部からの信号を受信する第二の受信面とからなることを特徴としている。
【００１０】
【作用】
以上のような本発明構成により、グリップ部の大きさを、リモコン部材の着脱により調整することができ、各個人の手の大きさに合ったものを選ぶことができる。
【００１１】
【発明の実施の形態】
以下に、本発明の実施の形態は、複数の実施例に基づき、図面を参照してそれぞれ詳細に説明する。
【００１２】
【実施例】
（実施例１）
図１〜図３に、本発明の第１の実施例を示す各説明図を示す。
【００１３】
図１（ａ），（ｂ），（ｃ）は、本実施例１の撮像装置の三面図であり、（ａ）は正面図、（ｂ）は上面図、（ｃ）は側面図である。
【００１４】
また図２（ａ），（ｂ），（ｃ）は、本実施例１のリモコン部分を開放した状態の三面図で、（ａ）は正面図、（ｂ）はその矢印Ａ方向の矢視図、（ｃ）は矢印Ｂ方向矢視図である。
【００１５】
また、図３はリモコン部分を閉じた状態の正面図である。さらに、図４は、実施例１のリモコン部分を取付けた状態の本体三面図であり、（ａ）は正面図、（ｂ）は上面図、（ｃ）は側面図を示す。
【００１６】
まず、リモコン部を図２を参照して説明する：
リモコン部分は、リモコン部材４，５とより成り、各リモコン部材４，５をつなぐ軸５−１の回りに互いに回転可能である。また図示されていないが、両リモコン部材４，５は、電気的に接続されている。リモコン上には、撮影時に使用するスイッチ類６，７が配置されており、例えば、スイッチ６はトリガー、スイッチ７はズームスイッチである。
【００１７】
リモコン部材４には、ねじ８が取り付けられており、リモコン部材５上には凸部５−２が設けられている。９ａと９ｂは、それぞれリモコンの発光部である。リモコンとして使う際は、図３に示すように折りたたんだ閉じ状態で使用可能である。その際、ねじ８と雌ねじ部８−２とで固定する。
【００１８】
次に、本体側を図１により説明する：
１は撮像装置本体、２はそのファインダ部、３はグリップ部である。グリップ部３上には、内部に凹部（破線）が設けられた部分３−１と、雌ねじ部８−１とが設けられている。１０，１１は、撮影時使用するスイッチ類で、例えば１０はズームスイッチ、１１はトリガーである。またリモコン受光部１２も設けられている。
【００１９】
図２のリモコンをグリップ部３に取り付ける時は、リモコン部材５上の凸部５−２を、グリップ３上に設けられた図１の凹部３−１に差込、ねじ８を図１の雌ねじ部８−１に止めることで固定する。
【００２０】
本体１にリモコンを付けた状態の三面図が図４（ａ），（ｂ），（ｃ）である。スイッチ６，７の信号は、リモコン発光部９ａ，９ｂからグリップ３上のリモコン受光部１２を通り、本体１側に送信される。
【００２１】
また、リモコンを取り付ける際、スイッチ１０の凸部は、リモコン部材５上に設けられた図２（ｃ）に示す凹部５−３で、スイッチ１１の凸部は図示されていないが、リモコン部材５上の凹部で吸収される。
【００２２】
（実施例２）
図５，６は、他の実施例２の各説明図である：
前記実施例１では、リモコン部分を、図１の本体グリップ部３にねじ８（図３）を用いて止めていたが、本実施例２では、図５にその取り付け要領図を示すように、リモコン部材４上に突起部１３を設け、グリップ部３（図１）上にはそれと嵌合する部分３−２を設け、ワンタッチで結合可能にすることも可能である。
【００２３】
（実施例３）
図６（ａ），（ｂ）は、リモコンに撮影時使用する以外のスイッチ類を配置する場合の実施例３の説明図で、スイッチ類１６はリモコン部材５上をスライド可能なカバー１４の下に配置され（（ｂ）図）、使用時のみスライドカバー１４を開放して（（ａ）図）使用する。１５はスライドカバーに設けられた凹部であり、カバー１４を開ける際の指掛かりである。
【００２４】
（実施例４）
図７，８は、このリモコン装置をグリップに取り付けた際、リモコン上のスイッチを本体ユニットのキーとして使用させるための他の実施例４の説明図である。図７は、スイッチ部分の透視図、図８はスイッチ７−１の実施例の構成２面図である。
【００２５】
スイッチ７−１上には、Ｕ字型溝部７−２が設けられており、リモコン部材５上に設けられた軸５−４と略嵌合して矢印Ｅ方向に摺動可能である。また、軸５−４にはＧリング等の抜け止め１６が挿着可能である。１７は、スイッチ７−１の乗る基板、１８は電気的スイッチである。スイッチ７−１が押されると、電気的スイッチ１８も押されるが、同時にスイッチ７−１が働いて、スイッチ１０を押す。スイッチ６−１も同様である。
【００２６】
【発明の効果】
以上説明したように、本発明によれば、リモコンをグリップ部に着脱することでグリップ部の大きさを変更できる。すなわち、グリップ部の大きさをリモコンの脱着により調整でき、各個人の手の大きさにあったものを選ぶことが可能である。さらに、例えば実施例１の図２（ａ）において、寸法ｃ，ｄの異なるものを複数個用意すればさらに細かく個人の手の大きさにあったものを選ぶことが可能である。
【図面の簡単な説明】
【図１】  実施例１の撮像装置の三面図、（ａ）正面図、（ｂ）上面図、（ｃ）側面図
【図２】  実施例１のリモコン部分の開放状態の三面図、（ａ）正面図、（ｂ）矢印Ａ方向矢視図、（ｃ）矢印Ｂ方向矢視図
【図３】  リモコン部分の閉じ状態の正面図
【図４】  実施例１のリモコン部分を取り付けた状態の本体三面図、（ａ）正面図、（ｂ）上面図、（ｃ）側面図
【図５】  実施例２のリモコン部材取付け要領図
【図６】  （ａ），（ｂ）はそれぞれ実施例３のリモコン上面図
【図７】  実施例４のスイッチ部分の正面透視図
【図８】  実施例４のスイッチ構成の２断面図
【符号の説明】
１  撮像装置本体
２  ファインダ部
３  グリップ部
４，５  各リモコン部材
６，７，１０，１１  スイッチ類
８  ねじ
９ａ，９ｂ  リモコン発光部
１２  リモコン受光部
【図１】
0004208310.tif 000002
【図２】
0004208310.tif 000003
【図３】
0004208310.tif 000004
【図４】
0004208310.tif 000005
【図５】
0004208310.tif 000006
【図６】
0004208310.tif 000007
【図７】
0004208310.tif 000008
【図８】
0004208310.tif 000009